(57)【要約】【課題】起こされた掴み面部の姿勢を，元の姿勢に戻りにくくする。【解決手段】断熱紙容器１は，胴部12および底部13から構成される有底の紙カップ本体と，上記紙カップ本体の胴部12の外側に被せられてかつ固定された紙製の外筒14とを備えている。外筒14の対向する２か所に，所定の長さを有する屈曲折罫線21と上記屈曲折罫線21の両端部を結ぶ破断線22とによって区画され，破断線22が切り離されることで上記屈曲折罫線21に沿って外側に折り返し可能な掴み面部20が形成されている。屈曲折罫線21の屈曲点と破断線22とを結ぶ折罫線23が，掴み面部20上に形成されている。【選択図】図４
2019104502.tif 000002
【特許請求の範囲】
【請求項１】
有底の容器本体と，上記容器本体の胴部の外側に被せられてかつ固定された紙製の外筒とを備え，
上記外筒の対向する２か所に，所定の長さを有する屈曲折罫線と上記屈曲折罫線の両端部を結ぶ破断線とによって区画された，破断線が切り離されることで上記屈曲折罫線に沿って外側に折り返し可能な掴み面部が形成されており，
上記屈曲折罫線の屈曲点と上記破断線とを結ぶ折罫線が上記掴み面部上に形成されている，
掴み付容器。
【請求項２】
上記屈曲折罫線の屈曲点付近に切込みが入れられている，
請求項１に記載の掴み付容器。
【請求項３】
上記屈曲折罫線の両端部のそれぞれに湾曲切込みがつながっている，
請求項１に記載の掴み付容器。
【請求項４】
有底の容器本体と，上記容器本体の胴部の外側に被せられてかつ固定された紙製の外筒とを備え，
上記外筒の対向する２か所に，所定の長さを有する折罫線と上記折罫線の両端を結ぶ破断線とによって区画された，破断線が切り離されることで上記折罫線に沿って外側に折り返し可能な掴み面部が形成されており，
上記折罫線を挟んで上記掴み面部がのびる方向と反対側に突出する突き当て部が，切込み線によって上記外筒にさらに形成されている，
掴み付容器。
【請求項５】
上記突き当て部の先端縁が，上記容器本体の胴部の形状に沿う形状を有している，
請求項４に記載の掴み付容器。
【請求項６】
上記破断線の一部が外方に小さくふくらんでおり，上記掴み面部の一部に連続して外方に小さく突出する突出部が外筒に区画されている，
請求項１または４に記載の掴み付容器。
【請求項７】
上記掴み面部に隣接して外筒に切欠き部が形成されている，
請求項１または４に記載の掴み付容器。
【請求項８】
有底の容器本体の胴部の外側に固定される紙製の掴み片であって，
所定の長さを有する屈曲折罫線と上記屈曲折罫線の両端部を結ぶ破断線とによって区画された，破断線が切り離されることで上記屈曲折罫線に沿って外側に折り返し可能な掴み面部が形成されており，
上記屈曲折罫線の屈曲点と上記破断線とを結ぶ折罫線が上記掴み面部上に形成されている，
掴み片。
【請求項９】
有底の容器本体の胴部の外側に固定される紙製の掴み片であって，
所定の長さを有する折罫線と上記折罫線の両端を結ぶ破断線とによって区画された，破断線が切り離されることで上記折罫線に沿って外側に折り返し可能な掴み面部が形成されており，
上記折罫線を挟んで上記掴み面部がのびる方向と反対側に突出する突き当て部が，切込み線によってさらに形成されている，
掴み片。
【発明の詳細な説明】
【技術分野】
【０００１】
この発明は，掴み付容器および掴み片に関するもので，特に電子レンジ，オーブン等で加熱する食品の包装に適する掴み付容器およびその掴み片に関する。
【背景技術】
【０００２】
特許文献１は，紙カップ本体と紙製筒状体とが組み合わされた断熱容器を開示する。筒状体には折線と切れ目線とによって区画されたつかみ片が形成されている。折線に沿って折る（起こす）ことでつかみ片は筒状体から起こされ，筒状体から外方に突出する。外方に広がるつかみ片を手で持つことで，手が断熱容器に触れず，熱さを感じずに断熱容器を持ち運ぶことができる。
【先行技術文献】
【特許文献】
【０００３】
【特許文献１】特許第４３６０７０８号公報
【０００４】
特許文献１に記載の断熱容器は，つかみ片を筒状体から切り離し，筒状体とつかみ片とをつなぐ折線に沿って折ることで起こしただけのものである。このため，つかみ片を一旦起こしても，電子レンジに入れて加熱している間に，つかみ片が，重力や紙の持つ反発力によって次第に元の姿勢に戻る，または立ち上がり角度が小さくなることがある。立ち上がり角度が小さくなることで，つかみ片を手でつかんで断熱容器を持とうとしたときに，断熱容器に手が触れやすくなり，断熱容器に手が触れると熱さを感じてしまう。
【発明の開示】
【０００５】
この発明は，起こされた掴み面部の姿勢を，元の姿勢に戻りにくくすることを目的とする。
【０００６】
第１の発明による掴み付容器は，有底の容器本体と，上記容器本体の胴部の外側に被せられてかつ固定された紙製の外筒とを備え，上記外筒の対向する２か所に，所定の長さを有する屈曲折罫線と上記屈曲折罫線の両端部を結ぶ破断線とによって区画された，破断線が切り離されることで上記屈曲折罫線に沿って外側に折り返し可能な掴み面部が形成されており，上記屈曲折罫線の屈曲点と上記破断線とを結ぶ折罫線が上記掴み面部上に形成されていることを特徴とする。
【０００７】
第１の発明によると，掴み面部と外筒とをつなぐ折罫線が屈曲折罫線であり，かつ屈曲折罫線の屈曲点（頂部）と掴み面部の外縁を規定する破断線が折罫線によって結ばれているので，外側に折り返された掴み面部は折罫線に沿って鈍角に折られ，側方から見てＶ字形の形状で外方に突出する。掴み面部に突っ張り力が働くので，外筒から起こされた掴み面部は元の姿勢に戻りにくい（立ち上がり角度が小さくなりにくい）。外方にしっかりと広がった掴み面部を手で掴んで容器を持ち運ぶことができるので，電子レンジ等で加熱した容器を持ち運んでいるときに容器に手が触れにくく，熱さを感じずに済む。
【０００８】
一実施態様では，上記屈曲折罫線の屈曲点付近（頂部付近）に切込みが入れられている。掴み面部を大きな角度で起こしやすくなる。
【０００９】
他の実施態様では，上記屈曲折罫線の両端部のそれぞれに湾曲切込みがつながっている。掴み面部を起こしたときに屈曲折罫線の両端部において外筒が破れるのを防止するまたは軽減することができる。
【００１０】
一実施態様では，上記破断線の一部が外方に小さくふくらんでおり，上記掴み面部の一部に連続して外方に小さく突出する突出部が外筒に区画されている。突出部に爪または指をかけることで掴み面部を外筒から起こしやすくすることができる。
【００１１】
他の実施態様では，上記掴み面部に隣接して外筒に切欠き部が形成されている。切欠き部から掴み面部の縁部に爪または指をかけることができるので，掴み面部を容易に起こすことができる。
【００１２】
第２の発明による掴み付容器は，有底の容器本体と，上記容器本体の胴部の外側に被せられてかつ固定された紙製の外筒とを備え，上記外筒の対向する２か所に，所定の長さを有する折罫線と上記折罫線の両端を結ぶ破断線とによって区画された，破断線が切り離されることで上記折罫線に沿って外側に折り返し可能な掴み面部が形成されており，上記折罫線を挟んで上記掴み面部がのびる方向と反対側に突出する突き当て部が，切込み線によって上記外筒にさらに形成されていることを特徴とする。
【００１３】
第２の発明によると，外筒に形成された掴み面部が外側に折られると，突き当て部が内側に突出する。外筒の内側に位置する容器本体の胴部の外面に上記突き当て部を当てることができる。突き当て部と容器本体の胴部に摩擦力が生じ，これによって外筒から外側に起こされた掴み面部は元の姿勢に戻りにくくなる（立ち上がり角度が小さくなりにくい）。第１の発明と同様に，外方にしっかりと広がった掴み面部を手で掴んで容器を持ち運ぶことができ，電子レンジ等で加熱した容器を持ち運んでいるときに容器に手が触れにくく，熱さを感じずに済む。
【００１４】
好ましくは上記突き当て部の先端縁が，上記容器本体の胴部の形状に沿う形状を有している。たとえば容器本体の胴部が円筒状であれば，突き当て部の先端縁は内方に湾曲させておけばよい。突き当て部の先端縁を広く（長く）容器本体の胴部に接触させることができる。
【００１５】
この発明は掴み片も提供する。第１の発明による掴み片は，有底の容器本体の胴部の外側に固定される紙製のものであって，所定の長さを有する屈曲折罫線と上記屈曲折罫線の両端部を結ぶ破断線とによって区画された，破断線が切り離されることで上記屈曲折罫線に沿って外側に折り返し可能な掴み面部が形成されており，上記屈曲折罫線の屈曲点と上記破断線とを結ぶ折罫線が上記掴み面部上に形成されていることを特徴とする。
【００１６】
第２の発明による掴み片は，有底の容器本体の胴部の外側に固定される紙製のものであって，所定の長さを有する折罫線と上記折罫線の両端を結ぶ破断線とによって区画された，破断線が切り離されることで上記折罫線に沿って外側に折り返し可能な掴み面部が形成されており，上記折罫線を挟んで上記掴み面部がのびる方向と反対側に突出する突き当て部が切込み線によってさらに形成されている。
【００１７】
第１，第２の発明による掴み片は，容器本体の胴部の外側に固定されて用いられる。第１の発明による掴み片は掴み面部に働く突っ張り力によって，第２の発明による掴み片は突き当て部と容器本体の胴部との摩擦力によって，掴み片から起こされた姿勢を維持しやすく，電子レンジ等で加熱した容器を持ち運んでいるときに容器に手が触れにくくすることができる。
【図面の簡単な説明】
【００１８】
【図１】第１実施例の断熱紙容器の斜視図である。
【図２】図１のII−II線に沿う断熱紙容器の一部縦断面図である。
【図３】第１実施例の断熱紙容器を構成する外筒の展開図である。
【図４】掴み面部を起こした状態の断熱紙容器の斜視図である。
【図５】変形例の外筒の展開図である。
【図６】他の変形例の外筒の展開図である。
【図７】さらに他の変形例の外筒の展開図である。
【図８】第２実施例の断熱紙容器を構成する外筒の展開図である。
【図９】第２実施例の断熱紙容器の斜視図である。
【図１０】第３実施例の断熱紙容器を構成する外筒の展開図である。
【図１１】第３実施例の断熱紙容器の斜視図である。
【図１２】第４実施例の断熱紙容器を構成する外筒の展開図である。
【図１３】第４実施例の断熱紙容器を，外筒を破断して示す拡大平面図である。
【図１４】変形例の外筒の展開図である。
【図１５】他の変形例の外筒の展開図である。
【図１６】第５実施例の紙容器を構成する掴み片の拡大平面図である。
【図１７】第５実施例の紙容器の斜視図である。
【発明を実施するための最良の形態】
【００１９】
以下，第１実施例から第５実施例を参照して，この発明による掴み付容器を詳細に説明する。
【実施例１】
【００２０】
図１から図４は第１実施例の断熱紙容器を示している。図１は断熱紙容器の斜視図，図２は図１のII−II線に沿う断熱紙容器の一部縦断面図，図３は外筒の展開図（ブランク図），図４は掴み面部を起こした状態の断熱紙容器の斜視図である。
【００２１】
断熱紙容器１は，蓋材10と，胴部12と，底部13と，外筒14とから構成されている。
【００２２】
胴部12は上部の径がわずかに大きく，下にいくほど径が小さくなる円筒状で，開口する上面が蓋材10によって閉じられている。胴部12の上端周縁部は外側に巻かれ，いわゆるカール部11が形成されている。底部13は円形で，その周縁部が下側に屈曲されている（屈曲部13ａ）。底部13は胴部12の下面開口内にぴったりと嵌り，胴部12の下端部が内側に折り返されて（折り返し部12ａ），この折り返し部12ａが底部13の屈曲部13ａを挟んでいる。底部13の屈曲部13ａの内外両面と，これを挟む胴部12の下端部の内面とは，接着または溶着されている。胴部12および底部13には，たとえば紙基材とその内面にポリオレフィン系樹脂が積層された積層構造のものが用いられる。胴部12および底部13には，190〜450ｇ／ｍ２程度の坪量の板紙素材の内面に，5〜100μｍ、好ましくは20〜80μｍの厚さの低密度ポリエチレン樹脂，中密度ポリエチレン樹脂，高密度ポリエチレン樹脂，線状低密度ポリエチレン樹脂を押し出しコートによって形成したものを用いることもできる。これは，内容物の板紙への浸透防止，内容物保護適正の向上，底部13，カール部11，胴部12の胴貼り部におけるカップ成形適正を上げ，蓋材10のカール部11におけるヒートシールによる封緘性を良好にする効果もある。胴部12と底部13とによって有底の紙カップ本体（容器本体）が構成される。容器本体は紙基材にポリスチレン層，ポリエチレン層，ポリエチレン・テレフタレート層，ポリプロピレン層などを積層したものを用いてもよいし，ポリプロピレンやポリスチレン，ポリエチレン・テレフタレートなどの樹脂製のものでもよい。
【００２３】
外筒14はやや弧状に形成されたブランク材（図３）の側部同士を接着して円筒状に形成し，次に下端部を内側に折り返して接着することで形成される。折り返し部分を図２において符号14ａで示す。側部同士の接着に用いられる接着部14ｂを図３においてハッチングで示す。
【００２４】
外筒14も，胴部12と同様に，上部の径が大きく，下にいくほど径が小さくなる円筒状である。この外筒内14に底部13を有する胴部12を上から入れる（嵌入する）。外筒14の上端は胴部12の上端周縁のカール部11の内側の隙間に入り，下端部は胴部12の下端部の外側に沿う（接触する）。外筒14は胴部12に接着剤によって固定される。たとえば外筒14の下端部の折り返し部14ａと胴部12，外筒14の上端部とカール部11，またはこれらの両方を接着することができる。外筒14の下端は胴部12の下端（糸じり）よりも下方に突出していない方がよい。もっとも，外筒14の下端を胴部12の下端よりも下方に突出させて，断熱紙容器１の全体を外筒14で支持することもできる。また，外筒14の下端部は折り返さずにそのままストレートにのびてもよい。外筒14と胴部12の間には断熱のための隙間を形成するのが好ましい。もっとも外筒14と胴部12の間の隙間は必ずしも必要ではない。
【００２５】
外筒14には紙を主強度材とするものが用いられる。外筒14は紙基材のみで構成してもよいし，その外層にポリスチレン層，ポリエチレン層，ポリエチレン・テレフタレート層，ポリプロピレン層などを積層したものを用いてもよい。外筒14の紙材には坪量230〜450ｇ／ｍ２のカード系，コートボール系等の板紙を使用することができる。
【００２６】
蓋材10はカール部11の上面に蓋材10を接着するためのシーラント層，文字，図形等を印刷するための紙層，上記紙層を保護するための保護層などを多層に積層したものを用いることができる。形状保持等のためのアルミニウム層をシーラント層と紙層との間に積層してもよい。ナイロン（ＮＹ），ポリエチレンテレフタレート（ＰＥＴ）等の基材フィルムにイージーピール層をドライラミネートしたものを蓋材10に用いてもよい。
【００２７】
図１，図３および図４を参照して，外筒14に２つの掴み面部20が区画されている。掴み面部20のそれぞれは，円筒状にされた外筒14のほぼ対向する反対側に区画されている。
【００２８】
掴み面部20は，外筒14の一部から構成されるもので，外筒14に形成された下向きに屈曲する屈曲折罫線21と，屈曲折罫線21の両端部につながり，下向きに弧状にのびるように外筒14に形成された破断線22とによって囲まれた，下向きに突出する形状を持つ。屈曲折罫線21は，たとえば100°〜160°程度の鈍角の角度で下向きに屈曲するように形成された，同じ長さの二本の直線状の折罫線によって構成されている。また掴み面部20には，屈曲折罫線21の屈曲点（二本の直線状の折罫線の接点，屈曲折罫線21の頂部）から弧状の破断線22に向けて掴み面部20を二分するようにのびる直線状の折罫線23も形成されている。
【００２９】
破断線22は，その途中に設けられる短いつなぎ部14ｃの箇所を除いて，外筒14を貫通する切込み線によって構成することができる。もっとも，破断線22を複数の短い切込み線を短い複数のつなぎ部でつなげたもので形成してもよいし，切込み線を間欠的に結ぶミシン目によって形成してもよい。つなぎ部14ｃによって，掴み面部20は，以下に説明するように外筒14から切り取られる（起こされる）まで，外筒14とほぼ面一に外筒14につなぎとめられる。
【００３０】
図４を参照して，破断線22に爪または指をかけて掴み面部20を持ち上げることで，つなぎ部14ｃがちぎれ，掴み面部20は屈曲折罫線21において外側に折られる。掴み面部20は，屈曲折罫線21において外筒14につながった状態で，破断線22に沿って外筒14から切り取られて起こされる（外方に突出する）。両方の掴み面部20を起こした後，断熱紙容器１はたとえば電子レンジに入れられ，内容物が加熱される。
【００３１】
上述のように，掴み面部20を外筒14につなぐ屈曲折罫線21が下向きに屈曲しており，屈曲点から掴み面部20の外縁に向けて折罫線23が形成されているので，外筒14から起こした掴み面部20は，折罫線23に沿って鈍角に折られた，側方から見てＶ字形の形状を帯びる。Ｖ字形に折られた掴み面部20には突っ張り力が生じるので，この突っ張り力によって外筒14から外方に突出する掴み面部20の姿勢が保持されやすくなる。すなわち，外筒14から起こされた掴み面部20は元の姿勢に戻りにくい（立ち上がり角度が小さくなりにくい）。外方にしっかりと広がった２つの掴み面部20を手で掴んで断熱紙容器１を持ち運ぶことができるので，電子レンジで加熱した断熱紙容器１を持ち運んでいるときに断熱紙容器１に手が触れにくく，熱さを感じずに済む。
【００３２】
図５は変形例の外筒14Ａの展開図を示している。図３に示す外筒14とは，屈曲折罫線21の屈曲点付近（二本の直線状の折罫線の接点付近，屈曲折罫線21の頂部付近）に短い切込み線25が入れられている点，および屈曲折罫線21の両端部のそれぞれに，外方（上向き）に弧状に突出する返し切込み線26が入れられている点が異なる。屈曲折罫線21の屈曲点付近に短い切込み線25を入れることで，掴み面部20を大きな角度まで起こしやすくなる。屈曲折罫線21の両端部に返し切込み線26を入れることで，掴み面部20を起こしたときに，屈曲折罫線21の両端部において外筒14を破れにくくすることができる。
【００３３】
図６および図７は，他の変形例の外筒14Ｂ，14Ｃの展開図をそれぞれ示している。
【００３４】
上述したように，掴み面部20は破断線22に爪または指をかけて持ち上げる必要がある。掴み面部20を持ち上げやすくする（爪または指をかけやすくする）ために，図６に示すように，掴み面部20の一部に連続して外方に小さく突出する突出部27を，外筒14に形成してもよい。外方に突出する突出部27に爪または指をかけやすいので，突出部27を契機にして，掴み面部20を起こしやすくすることができる。
【００３５】
図７に示すように，掴み面部20に隣接して外筒14Ｃに切欠き部分14ｄを形成してもよい。切欠き部分14ｄから掴み面部20の縁部に爪または指をかけることができるので，掴み面部20を起こすのが容易になる。
【００３６】
その他，掴み面部20に凸部（エンボス部）または凹部（デボス部）を形成しておくことで，掴み面部20に爪または指をかけやすくすることもできる。
【実施例２】
【００３７】
図８および図９は第２実施例を示している。図８は第２実施例の断熱紙容器２を構成する外筒の展開図，図９は第２実施例の断熱紙容器２の斜視図である。第１実施例の断熱紙容器１と同一部材には同一符号を付し，重複説明を省略する。このことは，後述する他の実施例においても同様である。
【００３８】
第２実施例の断熱紙容器２も，胴部12と底部13とによって構成される有底の紙カップ本体と，胴部12の外側に被されて固定される円筒状の外筒と，紙カップ本体の開口上面を閉じる蓋材10から構成される。
【００３９】
第２実施例の断熱紙容器２を構成する外筒14Ｄにも，屈曲折罫線21とその両端部につながる破断線22とによって囲まれる掴み面部20が，外筒14Ｄが円筒状にされたときの対向する反対側の二箇所に形成されている。第１実施例の断熱紙容器１の外筒14に形成されている掴み面部20とは，上下が逆向きに形成されている点，すなわち屈曲折罫線21が上向きに屈曲して形成されており，屈曲折罫線21の両端部につながる破断線22が上向きに弧状にのびており，これによって掴み面部20が上向きに形成されている点が異なる。
【００４０】
図９を参照して，破断線22に爪または指をかけて掴み面部20を下向きにめくって起こすことでつなぎ部14ｃがちぎれ，掴み面部20は屈曲折罫線21において外側に折られる。掴み面部20は，屈曲折罫線21において外筒14Ｄにつながった状態で破断線22に沿って外筒14Ｄから切り取られて外方に突出する。
【００４１】
第２実施例においても，掴み面部20は折罫線23において鈍角に曲げられてＶ字形（逆Ｖ字形）を帯びるので元の姿勢に戻りにくい（立ち上がり角度が小さくなりにくい）。外方にしっかりと広がった掴み面部20を手で掴んで断熱紙容器２を持ち運ぶことができる。
【実施例３】
【００４２】
図１０および図１１は第３実施例を示している。図１０は第３実施例の断熱紙容器３を構成する外筒14Ｅの展開図，図１１は第３実施例の断熱紙容器３の斜視図である。
【００４３】
図１０を参照して，第３実施例の断熱紙容器３を構成する外筒14Ｅには，屈曲折罫線21が縦方向に形成されており，横向きに屈曲している。屈曲折罫線21の上下両端につながる破断線22は，屈曲折罫線21から離れる方向に横向きに弧状にのびており，これによって掴み面部20は横向きに形成されている。
【００４４】
図１１を参照して，破断線22に爪または指をかけて掴み面部20を横向きにめくることで，つなぎ部14ｃがちぎれ，掴み面部20は屈曲折罫線21において折られる。掴み面部20は，屈曲折罫線21において外筒14Ｅにつながった状態で，破断線22に沿って外筒14Ｅから切り取られて外方に突出する。
【００４５】
第３実施例においても，折罫線23において掴み面部20は鈍角に曲げられてＶ字形（横向きのＶ字形）を帯びるので元の姿勢に戻りにくい（立ち上がり角度が小さくなりにくい）。外方にしっかりと広がった掴み面部20を手で掴んで断熱紙容器３を持ち運ぶことができる。
【実施例４】
【００４６】
図１２および図１３は第４実施例を示している。図１２は第４実施例の断熱紙容器を構成する外筒の展開図である。図１３は第４実施例の断熱紙容器を，外筒を破断して示す拡大平面図である。
【００４７】
上述した第１実施例〜第３実施例では，掴み面部20を外筒につなぐ折罫線21を屈曲させて形成しておき，かつ起こされた掴み面部20をＶ字形にするための折罫線23を掴み面部20上に形成しておくことで，屈曲折罫線21に沿って折られた掴み面部20に突っ張り力を生じさせ，これによって外方に突出する姿勢を保持するものである。第４実施例の掴み面部20は，これとは異なり，以下に説明するように，紙カップ本体の胴部12を利用して掴み面部20の姿勢を保持するものである。
【００４８】
図１２を参照して，第４実施例の掴み面部20を規定する折罫線21は屈曲していず（屈曲点を持たない），わずかに破断線22の向きに湾曲または傾斜して形成されている。また，折罫線21上に２つの半円状の突き当て部24が切込み線によって間隔をあけて形成されている。２つの半円状の突き当て部24はいずれも掴み面部20につながっており，折罫線21を挟んで掴み面部20の方向と反対側に突出している。
【００４９】
紙カップ本体の胴部12を包囲する外筒14Ｆにおいて破断線22に爪または指をかけて掴み面部20を持ち上げると，掴み面部20は折罫線21に沿って折られて外方に突出する。他方，掴み面部20と反対側に突出する突き当て部24は内方に突出する。
【００５０】
図１３を参照して，内方に突出する突き当て部24は，外筒14Ｆの内側に位置する紙カップ本体の胴部12の外面に接触する（突き当たる）。突き当て部24と胴部12の間の摩擦によって，外筒14Ｆから外方に突出する掴み面部20の姿勢を保持することができる。
【００５１】
突き当て部24は半円状の形状に限られないのは言うまでもない。たとえば図１４に示すように，外筒14Ｇに矩形の突き当て部24ａを形成することもできる。突き当て部24ａは，三角形，楕円形，波形など，その他の任意の形状で形成することができる。
【００５２】
図１５に示すように，外筒14Ｈに形成される突き当て部24ｂの先端縁を，内方にわずかに湾曲させてもよい。弧状の外面を有する胴部12に，突き当て部24ｂを広く（長く）突き当てることができる。
【実施例５】
【００５３】
図１６および図１７は第５実施例を示すもので，図１６は掴み片30の平面図を，図１７は掴み片30が取り付けられた紙容器４の斜視図を，それぞれ示している。
【００５４】
上述した第１〜第４実施例では，断熱紙容器が外筒を備えるものであって，外筒の一部に掴み面部20が形成されている。これに対して第５実施例の紙容器４は外筒を備えておらず，胴部12が露出している点が異なる。
【００５５】
胴部12の対向する反対側の２箇所に，図１６に示す掴み片30が装着されている。掴み片30は紙を主強度材とするもので，矩形の外形を有し，上述した第１実施例の掴み面部20が形成されているものである。掴み片30は接着または溶着によって胴部12の表面に固定してもよいし，掴み片30の上縁部をカール部11に差し込み，下部を接着することによって胴部12に固定してもよい。
【００５６】
破断線22に爪または指をかけて掴み面部20を持ち上げることで，掴み面部20を外方にしっかりと広げてその姿勢を保持することができるのは，上述した第１実施例と同じである。さらに，第４実施例と同様に，掴み片30に突き当て部24，24ａ，24ｂを形成することもできる。
【００５７】
上述した実施例では，紙カップ本体（紙製の胴部12および底部13）の外側に紙製の外筒14を被せて固定した断熱紙容器１〜３，および紙カップ本体の外側に紙製の掴み片30を固定した紙容器４を説明したが，紙カップ本体に代えて樹脂製カップ本体を用いることもできる。
【符号の説明】
【００５８】
１，２，３  断熱紙容器
４  紙容器
10  蓋材
11  カール部
12  胴部
13  底部
14，14Ａ，14Ｂ，14Ｃ，14Ｄ，14Ｅ，14Ｆ，14Ｇ  外筒
14ｄ  切欠き部分
20  掴み面部
21  屈曲折罫線
22  破断線
23  折罫線
24，24ａ,24ｂ  突き当て部
25  切込み線
26  返し切込み線
27  突出部
30  掴み片
【図１】
2019104502.tif 000003
【図２】
2019104502.tif 000004
【図３】
2019104502.tif 000005
【図４】
2019104502.tif 000006
【図５】
2019104502.tif 000007
【図６】
2019104502.tif 000008
【図７】
2019104502.tif 000009
【図８】
2019104502.tif 000010
【図９】
2019104502.tif 000011
【図１０】
2019104502.tif 000012
【図１１】
2019104502.tif 000013
【図１２】
2019104502.tif 000014
【図１３】
2019104502.tif 000015
【図１４】
2019104502.tif 000016
【図１５】
2019104502.tif 000017
【図１６】
2019104502.tif 000018
【図１７】
2019104502.tif 000019